(57)【要約】【課題】光を発する以外の機能を有し、被災者にとって助けとなる街路灯を提案する。【解決手段】街路灯１は、基礎部１１、備蓄部１２、支柱部１３、照明部１４を備える。基礎部１１にはバッテリ１１１が組込まれる。バッテリ１１１には給電端子が接続されている。備蓄部１２には、備蓄品が収納される。照明部１４には光源である発光体の他、無線ＬＡＮ通信機構が設けられる。無線ＬＡＮ通信機構は、他の街路灯とアドホック形式の無線ＬＡＮ通信を行う。【選択図】図１
2017059414.tif 000002
【特許請求の範囲】
【請求項１】
光を発する発光手段と、前記発光手段を必要な高さで支持する本体部と、を備えてなり、多数のものをセットとして用いられる街路灯であって、
前記本体部には、通信手段が設けられており、
前記通信手段は、他の街路灯の少なくとも１つが備える通信手段との間でアドホック形式の無線ＬＡＮ通信を行うことが可能となっているとともに、被災者が有する携帯端末とも無線ＬＡＮ通信を行えるようになっている、
街路灯。
【請求項２】
前記通信手段は、インターネットと接続されている、
請求項１記載の街路灯。
【請求項３】
周囲を撮像可能なカメラを備えており、且つ前記カメラで撮像した画像を、前記通信手段を介して送信できるようになっている、
請求項１又は２記載の街路灯。
【請求項４】
外部のパラメータの少なくとも一つを測定することができるセンサを備えており、且つ前記センサで測定したパラメータについての情報を、前記通信手段を介して送信できるようになっている、
請求項１又は２記載の街路灯。
【請求項５】
前記発光手段の発光状態を変化させる発光状態制御手段を備えており、前記発光状態制御手段が前記発光手段の発光状態を変化させることにより、被災者に対して情報の伝達を行えるようになっている、
請求項１記載の街路灯。
【請求項６】
災害発生時において、前記発光手段が光を発するための電力を前記発光手段に供給するバッテリを備えている、
請求項１記載の街路灯。
【請求項７】
再生可能エネルギーによる発電が可能であり、発電した電力を前記バッテリに対して供給する発電手段を備えている、
請求項６記載の街路灯。
【請求項８】
前記バッテリと接続された、前記バッテリに蓄えられた電力を外部に給電可能な給電端子を備えている、
請求項６記載の街路灯。
【請求項９】
前記本体部は、開閉することができる扉を備えた収納庫を備えており、前記収納庫には備蓄品を格納できるようにされている、
請求項１記載の街路灯。
【請求項１０】
前記扉は、予め定められた操作によって解錠される鍵を備えており、前記鍵が開錠されない限りは開放できないようになっている、
請求項９記載の街路灯。
【請求項１１】
光を発する発光手段と、前記発光手段を必要な高さで支持する本体部と、を備えてなる街路灯を多数セットにしてなる街路灯セットであって、
前記街路灯のそれぞれの前記本体部には、通信手段が設けられており、
前記通信手段は、他の街路灯が備える通信手段との間でアドホック形式の無線ＬＡＮ通信を行うことが可能となっているとともに、被災者が有する携帯端末とも無線ＬＡＮ通信を行えるようになっている、
街路灯セット。
【請求項１２】
前記街路灯のうちの少なくとも一つの前記通信手段は、他の前記街路灯のうちの複数のものが備える前記通信手段とアドホック形式の無線ＬＡＮ通信を行えるようになっている、
請求項１１記載の街路灯セット。
【請求項１３】
前記街路灯のうちの少なくとも複数の前記通信手段が、インターネットと接続されている、
請求項１１記載の街路灯セット。
【請求項１４】
前記街路灯のそれぞれは、前記発光手段の発光状態を変化させる発光状態制御手段を備えており、前記発光状態制御手段が前記発光手段の発光状態を変化させることにより、被災者に対して情報の伝達を行えるようになっているとともに、
前記街路灯の管理者が操作する操作装置を備えており、前記操作装置は、その操作により前記街路灯のそれぞれを個別に制御できるようになっており、それにより前記街路灯のそれぞれの前記発光手段の発光状態を個別に変化させることにより、被災者に対して前記街路灯セット全体での情報伝達を行えるようになっている、
請求項１１記載の街路灯セット。
【発明の詳細な説明】
【技術分野】
【０００１】
本発明は、街路灯に関する。
【背景技術】
【０００２】
街路灯は古くから使用されている。街路灯は照明装置であり、蛍光灯、ＬＥＤ等の発光手段を備えている。通行者は夜間においても、街路灯の発光手段が発し道等を照らす光を照明光として利用することが可能である。
【発明の概要】
【発明が解決しようとする課題】
【０００３】
ところで、特に我が国では、東北地方太平洋沖地震の発生以降、防災の意識が非常に高まっている。
本願発明者は、平時は照明装置としてしか機能しない街路灯を、地震や津波等の災害が生じた後の非常時において、照明装置以外の用途に用いることができれば、被災者にとって大きな助けとなり得ると考えた。
街路灯は、平時においては照明装置として機能するものであるから、それが街中に多数存在したとしても、平時において邪魔になるということはない。また、街路灯は上述のように発光手段を備えるが、それが発する光は、非常時の特に夜においては、被災者にとっては単なる照明光であるのみならず、安心感を得ることのできる、大げさに言えば心の拠り所となるものである。したがって、発光手段が有効である限りにおいて、特に災害が生じた直後の避難所がまだ十分に機能し始める前の状態の特に夜間においては、被災者が街路灯の付近に集まることが予想できる。そのとき、街路灯が照明装置以外の機能を有しているのであれば、被災者にとって大きな助けとなり得る。
しかしながら街路灯に照明装置として以外の機能を与えることについての提案は今のところ殆どなされていない。
【０００４】
本願発明は、光を発する以外の機能を有し、被災者にとって助けとなり得る街路灯を提案することをその課題とする。
【課題を解決するための手段】
【０００５】
かかる課題を解決するため、本願発明者は、以下に説明する発明を提案する。
本願発明は、光を発する発光手段と、前記発光手段を必要な高さで支持する本体部と、を備えてなり、多数のものをセットとして用いられる街路灯である。
そして、この街路灯の前記本体部には、通信手段が設けられており、前記通信手段は、他の街路灯の少なくとも一つが備える通信手段との間でアドホック形式の無線ＬＡＮ通信を行うことが可能となっているとともに、被災者が有する携帯端末とも無線ＬＡＮ通信を行えるようになっている。
災害発生時の特に初期において被災者が最も求めるのは情報である。インターネットを用いた通信を行えれば最良であるが、少なくとも近隣の者の安否だけでも知ることができればそれに越したことはない。上述のように、特に災害が生じた直後の避難所がまだ十分に機能し始める前の状態の特に夜間においては、被災者は安心を求めて街路灯に集まる可能性が高い。したがって、街路灯に上述のごとき通信の機能を与えれば、被災者に安心を与えるという効果が自然に得られることになる。
本願発明においてそれを可能とするのが、街路灯に設けられた通信手段である。この街路灯は多数（例えば、少なくとも２０個）の街路灯をセットにして用いられるが、そのそれぞれに通信手段が設けられている。街路灯に設けられる通信手段は、被災者が所有する携帯端末と無線ＬＡＮ通信（例えば、Ｗｉ−Ｆｉによる通信）を行うことが可能となっている。携帯端末はスマートフォン、タブレット等であり、それらは現時点でも無線ＬＡＮ通信を行えるものが大半となっているから、携帯端末と街路灯が通信を行うことは普通に可能である。携帯端末と街路灯の機能により、被災者は最寄りの非常灯に自らの携帯端末を用いて通信を行うことができる。他方、街路灯に設けられる通信手段は、他の街路灯の少なくとも一つが備える通信手段との間でアドホック形式の無線ＬＡＮ通信を行うことが可能となっている。これにより、携帯端末を持つ被災者は、アドホック形式の無線ＬＡＮ通信を行う多数の街路灯によって作られる通信網と通信を行うことができるようになる。その通信網に、例えば行政が管理する、被災者の安否を掲載することの可能な仮想の掲示板が存在するとする。被災者は、その掲示板に自らの安否を書き込むことが可能であり、或いは例えば家族の安否を確認することが可能となる。
また、上述のようなアドホック形式の無線ＬＡＮ通信を各街路灯が行うことにより、自らの携帯端末である街路灯と通信を行うある被災者は、その街路灯と直接、或いは他の少なくとも１つの街路灯を介して通信を行えるようになった他の街路灯と自らの携帯端末を介して通信を行う他の被災者と、互いに通信を行える状態を形成することも可能である。それにより、各被災者が互いに直接通信を行える状態も形成しうる。
【０００６】
以上説明した街路灯と同様の効果を得られるものとして、本願発明者は、光を発する発光手段と、前記発光手段を必要な高さで支持する本体部と、を備えてなる街路灯を多数セットにしてなる街路灯セットをも本願発明の一態様として提案する。
この街路灯セットにおける前記街路灯のそれぞれの前記本体部には、通信手段が設けられており、前記通信手段は、他の街路灯が備える通信手段との間でアドホック形式の無線ＬＡＮ通信を行うことが可能となっているとともに、被災者が有する携帯端末とも無線ＬＡＮ通信を行えるようになっている。
【０００７】
本願発明における街路灯が備える通信手段を、他の街路灯が備える通信手段とアドホック形式の無線ＬＡＮ通信を行えるようにした理由は、その柔軟性に基づく通信の強固さ（「強固さ」とは、街路灯全体によって作られる上述の通信網を高い可能性で維持することが可能であるという意味である。）が期待できるからである。アドホック形式の無線ＬＡＮ通信は、専用の基地局を用いない通信形式であり、通信網に参加する各端末装置自体が持つ中継機能を利用することによって、一時的に各端末装置で、互いに通信可能な端末装置群（通信網）を作る技術である。このような通信網をアドホックネットワーク等と呼ぶが、アドホックネットワークでは、多数の端末装置同士を基地局の介在無しに接続する「マルチホップ通信」の技術を用いることにより、基地局がなくても、他の端末を中継しながら通信エリアを拡大できるというメリットを持つ。
その意味では、被災者が持つ携帯端末が、街路灯が持つ通信装置とアドホック形式の無線ＬＡＮ通信が行えるのが理想である。そうすることにより、各被災者は、他の被災者や、被災していないより遠方の者と、互いが持つ携帯端末（被災していない者が用いるのは携帯端末には限らないであろうが）によって通信を行えるようになる。
いずれにせよ、本願発明における街路灯が備える通信手段を、他の街路灯が備える通信手段とアドホック形式の無線ＬＡＮ通信を行えるようにすることにより、一部の街路灯の通信手段がアドホック形式の無線ＬＡＮ通信を行えなくなったとしても、一部の街路灯が備える通信手段が有効であれば、上述の通信網の少なくとも一部を生かすことが可能となる。
通信網をより強固なものとするためには、本願発明の街路灯セットの場合で言えば、前記街路灯のうちの少なくとも一つの前記通信手段が、他の前記街路灯のうちの複数のものが備える前記通信手段とアドホック形式の無線ＬＡＮ通信を行えるようになっているのが好ましい。この場合であれば、例えば、１つの街路灯の通信手段が機能しなくなったとしても、その周囲の街路灯の通信手段同士での無線ＬＡＮ通信は可能な状態を維持できるので、街路灯セット内に作られる通信網を維持することが可能となる。
【０００８】
本願発明の街路灯における前記通信手段は、インターネットと接続されていても構わない。それにより、被災者は、自らの携帯端末を、最寄りの街路灯に接続することにより、インターネットにアクセスできるようになる。
【０００９】
本願発明の街路灯は、周囲を撮像可能なカメラを備えており、且つ前記カメラで撮像した画像を、前記通信手段を介して送信できるようになっていてもよい。なお、この特徴は、光を発する発光手段と、発光手段を必要な高さで支持する本体部と、を有する街路灯との組合せることを前提とすれば、本願に記載の他の技術と組合せることなく独立して、また、複数のものをセットとして用いられることを前提としない街路灯としても、発明として成立し、また実施可能である。
この場合の画像は、静止画像、動画像のいずれでも構わない。画像を送信することにより、被災者の状態を、例えば遠隔地にいる第三者が確認することが可能となる。これは、要救助者の存否の確認等に役に立つ。
【００１０】
本願発明の街路灯は、外部のパラメータの少なくとも一つを測定することができるセンサを備えており、且つ前記センサで測定したパラメータについての情報を、前記通信手段を介して送信できるようになっていてもよい。なお、この特徴は、光を発する発光手段と、発光手段を必要な高さで支持する本体部と、を有する街路灯との組合せることを前提とすれば、本願に記載の他の技術と組合せることなく独立して、また、複数のものをセットとして用いられることを前提としない街路灯としても、発明として成立し、また実施可能である。
この場合のパラメータの例は、温度、湿度、水位、放射線量であるが、これには限られない。これらのパラメータを外部に、例えば遠隔地にいる第三者に送ることにより、被災者の状態の把握等に役立てることができる。
【００１１】
本願発明の街路灯は、前記発光手段の発光状態を変化させる発光状態制御手段を備えており、前記発光状態制御手段が前記発光手段の発光状態を変化させることにより、被災者に対して情報の伝達を行えるようになっていても構わない。なお、この特徴は、光を発する発光手段と、発光手段を必要な高さで支持する本体部と、を有する街路灯との組合せることを前提とすれば、本願に記載の他の技術と組合せることなく独立して、また、複数のものをセットとして用いられることを前提としない街路灯としても、発明として成立し、また実施可能である。
街路灯の発光状態を変化させるとは、例えば、光の色を変える、光量を変える、点滅の有無や点滅の間隔を変える、或いはそれらを組合せる等がある。街路灯の発光状態を変化させることにより、直感的に理解できるような状態で被災者に情報の提供を行える可能性がある。この場合、街路灯は、街路灯の管理者が操作する操作装置と組み合わせて用いられるようになっていてもよい。操作装置は、その操作により街路灯を制御できるようになっており、それにより街路灯の発光手段の発光状態を個別に変化させることができるようになっていてもよい。
この発明は、本願発明の街路灯セットに応用することで、更に有意義なものとすることができる。例えば、街路灯セットに含まれる前記街路灯のそれぞれは、前記発光手段の発光状態を変化させる発光状態制御手段を備えており、前記発光状態制御手段が前記発光手段の発光状態を変化させることにより、被災者に対して情報の伝達を行えるようになっていてもよい。その場合、街路灯セットは、前記街路灯の管理者が操作する操作装置を備えており、前記操作装置は、その操作により前記街路灯のそれぞれを個別に制御できるようになっており、それにより前記街路灯のそれぞれの前記発光手段の発光状態を個別に変化させることにより、被災者に対して前記街路灯セット全体での情報伝達を行えるようになっていてもよい。これにより被災者は、一つの街路灯のみから得られるよりも多くの情報を得ることができるようになる。これは例えば、被災者を避難誘導する場合等に利用することができる。
【００１２】
本願発明の街路灯は、災害発生時において、前記発光手段が光を発するための電力を前記発光手段に供給するバッテリを備えていてもよい。なお、この特徴は、光を発する発光手段と、発光手段を必要な高さで支持する本体部と、を有する街路灯との組合せることを前提とすれば、本願に記載の他の技術と組合せることなく独立して、また、複数のものをセットとして用いられることを前提としない街路灯としても、発明として成立し、また実施可能である。
災害時に街路灯に対する電力の供給が途絶えることがある。そのような場合においてもバッテリが存在するのであれば、それが発光手段に電力を供給することにより発光手段を光らせることが可能となる。
なお、バッテリが電力を供給する先は発光手段に限られず、カメラ、通信手段、センサ等、電力を必要とする、その街路灯内の他の部材に対してもバッテリが電力を供給するようになっていてももちろん構わない。また、バッテリは、災害時以外にも機能するようになっていてももちろん構わない。
本願発明の街路灯がバッテリを有する場合、街路灯は、再生可能エネルギーによる発電が可能であり、発電した電力を前記バッテリに対して供給する発電手段を備えていてもよい。これによれば、バッテリの機能する時間を長くすることが可能となる。再生可能エネルギーの例は、太陽光、風力である。
なお、発電手段は、災害時以外のときにも機能するようになっていてももちろん構わない。
本願発明の街路灯がバッテリを有する場合、街路灯は、前記バッテリと接続された、前記バッテリに蓄えられた電力を外部に給電可能な給電端子を備えていてもよい。本願の街路灯は、被災者が持つ携帯端末との通信で真価を発揮する。他方被災者が持つ携帯端末の充電が切れていれば、本願発明の街路灯はその真価を発揮できない。バッテリが給電端子を備えていれば、街路灯のバッテリから被災者の携帯端末に給電することが可能となるから、被災者の携帯端末の充電切れという事態を防止することが可能となる。もちろん、携帯端末以外への給電も可能としておけば、被災者の大きな助けとなる。給電端子は公知或いは周知のものでよく、例えばコンセント、或いはＵＳＢ端子である。
【００１３】
前記本体部は、開閉することができる扉を備えた収納庫を備えており、前記収納庫には備蓄品を格納できるようにされていてもよい。かかる収納庫に備蓄品を収納しておくことにより、被災者は災害時に備蓄品を利用することができる。なお、この特徴は、光を発する発光手段と、発光手段を必要な高さで支持する本体部と、を有する街路灯との組合せることを前提とすれば、本願に記載の他の技術と組合せることなく独立して、また、複数のものをセットとして用いられることを前提としない街路灯としても、発明として成立し、また実施可能である。
前記扉は、予め定められた操作によって解錠される鍵を備えており、前記鍵が開錠されない限りは開放できないようになっている。解錠を行うための操作は、例えば暗証番号の入力等である。暗証番号等を地域の住人にのみ予め伝えて置くことにより、災害時或いは災害前に備蓄品が地域の住人以外の者に盗まれるのを防止することができる。
【図面の簡単な説明】
【００１４】
【図１】実施形態による街路灯の全体構成を概略的に示す側面図。
【図２】図１に示した街路灯の第１扉を開いた状態を拡大して示す斜視図。
【図３】図１に示した街路灯に含まれる照明部の（Ａ）平面図、（Ｂ）底面図。
【図４】図１に示した街路灯多数により構成される街路灯セットを概念的に示す平面図。
【図５】図４に示した街路灯セットに含まれる各街路灯が通信可能な範囲を概念的に示す平面図。
【図６】図４に示した街路灯セットにおける各街路灯の点灯方法の一例を概念的に示す平面図。
【発明を実施するための形態】
【００１５】
以下、図面を参照しつつ、本発明の一実施形態について説明する。
【００１６】
図１に、この実施形態における街路灯１の概観を示す。この街路灯１は、後述するように、多数の街路灯１を含む街路灯セットとして用いられることになる。
【００１７】
街路灯１は、図１に示すように、基礎部１１、備蓄部１２、支柱部１３、及び照明部１４を備えている。
基礎部１１、備蓄部１２、支柱部１３、及び照明部１４の一部が本願発明における本体部をなす。
【００１８】
基礎部１１は、街路灯１の基礎となるものであり、その下端を地面に対して固定された状態で街路灯１を支えるものである。これには限られないがこの実施形態では、基礎部１１は金属製であり、またこれには限られないが、平面視で矩形の直方体形状をしている。基礎部１１は中空とされており、中空とされたその内部にはバッテリ１１１と、センサ１１２と、制御回路１１３とが内蔵されている。
基礎部１１には、また、開閉自在とされた扉である第１扉１１４が設けられている。
【００１９】
バッテリ１１１は放電、充電が可能な二次電池である。かかる機能が充足される限り、バッテリ１１１はその構成を問わない。例えばリチウムイオン二次電池をバッテリ１１１として用いることができる。バッテリ１１１は、制御回路１１３によってその放電、充電の制御が行われるようになっている。
なお、この実施形態では、バッテリ１１１は、少なくとも災害が発生した後においては、発光体１４２に電力を供給するようになっている。また、必ずしもこの限りではないが、この実施形態におけるバッテリ１１１は、少なくとも災害が発生した場合においては、センサ１１２、制御回路１１３、カメラ（後述）、無線ＬＡＮ通信機構（後述）等にも給電を行うようになっており、それにより街路灯１で実行される各処理が維持されるようになっている。
【００２０】
センサ１１２は、街路灯１の外部の何らかのパラメータを計測するためのものである。パラメータの例は、温度、湿度、水位、放射線量であるが、これには限られない。パラメータが温度の場合にはセンサ１１２は温度計であり、パラメータが湿度の場合にはセンサ１１２は湿度計であり、パラメータが水位である場合にはセンサ１１２は水位計であり、パラメータが放射線量である場合にはセンサ１１２は線量計である。これらはいずれも公知のもので良い。また、センサ１１２は、複数のパラメータそれぞれの計測用に複数存在していてもよい。この実施形態ではセンサ１１２は上述した４つのパラメータをそれぞれが測定するべく４つとされているが、センサ１１２の数が４つに限られないのは当然である。センサ１１２は制御回路１１３に図示を省略のケーブルにより接続されており、それらが生成した各パラメータについての情報を制御回路１１３に送るようになっている。
なお、センサ１１２が基礎部１１の内部に存在すると、測定すべきパラメータを測定できない等の事情があるのであれば、センサ１１２の少なくとも一部が基礎部１１の外側等に露出していても構わない。
【００２１】
制御回路１１３は、街路灯１の動作を制御するものである。制御回路１１３は例えばコンピュータを含んで構成されており、コンピュータのハードウエア構成自体は公知或いは周知のもので良い。コンピュータはＣＰＵ、ＲＯＭ、ＲＡＭ、インターフェイス等を備えて構成されている。
制御回路１１３は、センサ１１２から上述の情報を受取った場合、それを後述する無線ＬＡＮ通信機構に、図示せぬケーブルを介して送るようになっている。制御回路１１３は、後述するカメラから後述する画像のデータを受取った場合、それを後述する無線ＬＡＮ通信機構に、図示せぬケーブルを介して送るようになっている。制御回路１１３は、また、後述する入力キーからの入力を受付け、これも後述する第２扉に設けられた鍵の解錠を許可するか否かの制御を行うようになっている。
制御回路１１３は、後述する制御信号を、これも後述する操作装置から受取った場合、それに従い後述する発光部を制御するようになっている。制御回路１１３は制御信号を、後述する無線ＬＡＮ通信機構から受取るようになっていても構わないし、操作装置と例えば専用線で接続することにより有線で受取るようになっていても構わない。
【００２２】
第１扉１１４は、開閉自在とされた扉である。もっとも、第１扉１１４は、後述する第２扉の場合と同様に、所定の操作がなされた場合にのみ解錠する鍵を備えていても良い。
第１扉１１４を開いた状態を、図２に示す。第１扉１１４を開いた奥には、凹部が設けられている。そして、その凹部には、給電端子１１５Ａ〜Ｃが設けられている。給電端子１１５Ａ〜Ｃはバッテリ１１１に接続されており、バッテリ１１１に蓄えられた電力を、外部の機器に対して給電できるようになっている。
給電端子１１５Ａ〜Ｃは異なる形式の給電端子とすることができ、この実施形態ではそうされている。給電端子１１５Ａは、公知のコンセントである。給電端子１１５Ｂは、公知のＵＳＢ端子である。給電端子１１５Ｃは、主にスマートフォンの充電に用いられる、これも公知のｍｉｃｒｏＵＳＢ端子、Ｌｉｇｈｔｎｉｎｇ端子である。給電端子１１５Ａ〜Ｃは上述の３種類に限られるものではないが、幾つかの形式のものを準備しておくのが被災者のためになるであろう。
【００２３】
備蓄部１２は、基礎部１１の上に固定的に取付けられている。備蓄部１２は、備蓄品を備蓄するための機能を有する。それが可能である限り備蓄部１２の構成は自由であるが、この実施形態では備蓄部１２は金属製であり、またこれには限られないが、平面視で円形の円筒形状をしている。備蓄部１２は中空とされており、中空とされたその内部空間の全体が収納庫として機能するようになっており、その収納庫に図示を省略の備蓄品が収納されるようになっている。
備蓄品の例は、ＬＥＤランタン、乾電池、携帯端末用充電器、手動発電ライト、ラジオ、毛布、アルミ蒸着保温シート、使い捨てカイロ、飲料水、保存食、非常用トイレ、着替、消臭剤、医薬品、生理用品、紙おむつ等である。もちろん、これら以外の備蓄品が収納庫に収納されていても構わないし、また、各街路灯１の収納庫毎に異なる備蓄品が収納されていても構わない。
備蓄部１２は扉である第２扉１２１を備えており、その第２扉１２１を開放することにより、収納庫の内部が露出されるようになっている。第２扉１２１は、被災者が予め定められた操作を行ったときにのみ解錠される図示せぬ鍵が付されている。第２扉１２１には、これには限られないがこの実施形態ではテンキーとされている入力キー１２２が設けられており、入力キー１２２に対して適当な操作が行われたときにのみ、第２扉１２１の鍵が解錠されるようになっている。
具体的には、入力キー１２２からの入力内容は、上述した制御回路１１３に送られるようになっている。入力キー１２２からの入力内容、例えば入力された４桁の暗証番号が正確である場合には、制御回路１１３は、第２扉１２１の鍵を解錠する。鍵が解錠された場合に第２扉１２１は解放でき、第２扉１２１が解放できて初めて、被災者は備蓄部１２の収納庫から備蓄品を取出すことができる。
かかる鍵は、災害発生の有無を問わず、悪意の第三者に備蓄品を盗まれるのを防止するためのものである。予め定められた鍵を解錠するための操作がどのようなものかについては、近隣者等、各街路灯１に備蓄された備蓄品を利用することが予定された者に予め通知しておくのが好ましい。
【００２４】
支柱部１３は、照明部１４を支える柱である。支柱部１３は、この実施形態では平面視で円形の長い円筒形状をしており、その下端が備蓄部１２の上面に固定されている。これには限られないがこの実施形態では、支柱部１３の上端付近に照明部１３が固定されている。
【００２５】
照明部１４は、通常の街路灯における照明に相当するものであるが、この街路灯１における照明部１４は、照明の機能以外の機能をも有している。
これには限られないがこの実施形態における照明部１４は、図１及び図３に示したように、平面視で矩形の板状に構成されている。照明部１４は、その一部を支柱部１３に貫かれている。また、照明部１４の両端は、支柱部１３の上端にその基端が固定された、ワイヤその他で構成された丈夫な線状体である吊り線１３１の先端に固定されている。吊り線１３１は、支柱部１３による照明部１４の固定を補強するものである。
【００２６】
照明部１４の上面には、太陽光発電パネル１４１が設けられている。太陽光発電パネル１４１は、太陽光発電を行うものである。それが可能な限り太陽光発電パネル１４１は、公知又は周知のものを用いることができる。太陽光発電パネル１４１は、図示を省略のケーブルにより上述のバッテリ１１１に接続されており、太陽光発電パネル１４１にて作られた電力は、バッテリ１１１にて溜められるようになっている。
なお、太陽光発電パネル１４１は、バッテリ１１１に給電することができる発電機であって、再生可能エネルギーによる発電を行えるものに置き換えることも可能である。例えば、公知の風力発電装置を太陽光発電パネル１４１に代えることも可能である。
【００２７】
照明部１４の下方には、発光体１４２、カメラ１４３、無線ＬＡＮ通信機構１４４が設けられている。
発光体１４２は、照明光となる光を発することができる光源である。例えば、ＬＥＤランプ、蛍光灯等を発光体１４２として用いることができるようになっている。これには限られないがこの実施形態では、発光体１４２は、自由な色の、或いは幾つかの色の光を発することができるようになっている。発光体１４２の発光の仕方は、制御回路１１３が行う制御によって決定されるようになっている。
発光体１４２は、少なくとも災害が発生した場合においては、バッテリ１１１から供給される電力によって点灯するようになっている。災害が発生していない状態では、発光体１４２は、バッテリ１１１から供給される電力で点灯するようになっていても構わないし、電線を通じて発電所から送電されてくる電力で点灯するようになっていても構わない。発光体１４２が発光するために用いる電力の供給元の切替が必要な場合には、制御回路１１３がその制御を行うようになっている。
【００２８】
カメラ１４３は街路灯１の周囲を撮像するためのものである。この実施形態におけるカメラ１４３は、照明部１４の下面に固定的に取付けられており、街路灯１の下にいる主に被災者の画像を撮像することができるようになっている。それが可能な限りにおいて、カメラ１４３は公知のもので良い。カメラ１４３が撮像する画像は、静止画でも良いし、動画でも良い。このカメラ１４３が撮像する方向はこの実施形態では、カメラ１４３の鉛直下方に固定されているが、カメラ１４３の撮像方向が固定されている場合には、画角は広い方が好ましい。他方、カメラ１４３の向きを時間によって代えることにより、カメラ１４３の撮像する方向を変化させられるようにすることも可能である。
カメラ１４３が撮像した画像についてのデータは、図示せぬケーブルによって制御回路１１３に送られるようになっている。
【００２９】
無線ＬＡＮ通信機構１４４は、他の街路灯１が備える無線ＬＡＮ通信機構１４４との間で、アドホック形式の無線ＬＡＮ通信を行うものとなっている。後で詳しく述べるが、この実施形態の街路灯１は、多数の街路灯１と組合せることにより街路灯セットを構成するものである。各街路灯１の無線ＬＡＮ通信機構１４４が、少なくとも一つの他の街路灯１が備える無線ＬＡＮ通信機構１４４との間でアドホック形式の無線ＬＡＮ通信を行うことによって、多数の街路灯１が参加する通信網が構成されることになる。
他方、無線ＬＡＮ通信機構１４４は、被災者が持つ図示を省略の携帯端末と無線ＬＡＮによる通信を行えるようになっている。なお、無線ＬＡＮ通信機構１４４が被災者が持つ（もちろん被災者以外が持つ携帯端末でも構わない）携帯端末ともアドホック形式の無線ＬＡＮ通信を行えるようになっていても構わない。そうすることで、多数の街路灯１が参加して作られる上述の通信網に被災者が持つ携帯端末も参加することになるので、その通信網はより維持され易くなる。
以上のごとき通信を行えるような無線ＬＡＮ通信機構１４４は公知または周知であるので、その構成についての詳述は省略する。
また、携帯端末の例は、スマートフォン、タブレットである。スマートフォンとしては、例えば、Apple Japan合同会社が製造、販売を行うiPhone（商標）シリーズを挙げることができる。タブレットとしては、例えば、同社が製造、販売を行うiPad（商標）シリーズを挙げることができる。
【００３０】
以上説明したような街路灯１が、街に設置された場合の設置例を図４に示す。
同図中、Ｐが道である。これには限られないが、この例で街路灯１は、道Ｐの両脇に多数配置される。隣接する街路灯１の間隔は一定であってもそうでなくても構わないが、例えば、この例では５０ｍ間隔で一定とされている。図４にその一部が示された街路灯１の集まりが街路灯セットを構成する。
図中Ｑは自治体の公舎である。この公舎Ｑを管理する自治体が、街路灯セットの管理者を兼ねているものとする。公舎Ｑの中には、操作装置Ｑ１が存在している。操作装置Ｑ１は極普通のコンピュータであって、制御信号を生成し、各街路灯１に対して送ることができるようになっている。制御信号は、各街路灯１における発光体１４２をどのようにして点灯させるかということを特定するための信号である。制御信号を受取った各街路灯１の制御回路１１３は、制御信号で特定される内容に基づいて、その街路灯１の発光体１４２を点灯させる。
【００３１】
上述したように、各街路灯１の無線ＬＡＮ通信機構１４４は、少なくとも一つの他の街路灯１が備える無線ＬＡＮ通信機構１４４との間でアドホック形式の無線ＬＡＮ通信を行うようになっているが、この実施形態では、図５に示したように、すべての街路灯１の無線ＬＡＮ通信機構１４４は、複数の街路灯１が備える無線ＬＡＮ通信機構１４４との間でアドホック形式の無線ＬＡＮ通信を行うようになっている。
例えば、同図中の街路灯１Ａは、それを中心にして破線により描かれた円の中に位置する５つの街路灯１とアドホック形式の無線ＬＡＮ通信を行えるようになっている。また、同図中の街路灯１Ｂは、それを中心にして破線により描かれた円の中に位置する３つの街路灯１とアドホック形式の無線ＬＡＮ通信を行えるようになっている。他の街路灯１についても同様である。
【００３２】
また、街路灯セットを構成する各街路灯１のうちの少なくとも一つは、インターネットに接続されている。ここで言うインターネットへの接続は、他の街路灯１を経ないでの接続を意味する。インターネットへの接続は、有線で行われても無線で行われても構わない。
街路灯セットを構成する各街路灯１のうちの少なくとも一つがインターネットに接続されていれば、街路灯セットが形成する上述の通信網の全体をインターネットに接続させることが可能になり、かかる通信網に自前の携帯端末を用いて最寄りの街路灯１から接続することができる被災者も、インターネットに接続できる環境を持てるようになる。
街路灯１のうちのより多くの物が上述のようなインターネットに対する接続をなされているのであれば、街路灯セットが形成する通信網とインターネットとの接続をより保ちやすくなる。
【００３３】
以上で説明した街路灯１及び街路灯１セットの使用方法、動作について説明する。
街路灯１は、図４に示されたように、道Ｐ沿いに配置される。街路灯１は、平時においては通常の街路灯と同様の利用のされ方をする。各街路灯１は、発光体１４２が光を発することにより、通常の街路灯と同じように、照明装置として機能する。上述したようにこの実施形態の街路灯１では、平時において、発光体１４２が発光するための電力として、バッテリ１１１に溜められていたものは使用されず、図示せぬ電線を介して発電所から送電された電力が使用される。その制御は、制御回路１１３が行う。
また、各街路灯１の収納庫には備蓄品が備蓄されている。収納庫の扉である第２扉１２１の鍵を解錠するための予め定められた操作がどのようなものかという情報は、平時のうちに、各街路灯１に備蓄された備蓄品を利用することが予定された者に通知しておく。
【００３４】
次いで、地震、津波、河川の氾濫、大規模火災、原子力発電所における事故等の災害が生じたとする。
その場合、被災者は特に夜間においては、明かりという安心の材料を求めて各街路灯１に集まる。もっとも、自治体等により、街路灯１の機能を平時の段階で知らされているのであれば、被災者は夜間に限らず街路灯１の周りに集うであろう。
【００３５】
センサ１１２は、街路灯１の外部の温度、湿度、水位、放射線量を測定する。これらの測定は、時間的に連続したものであっても構わないが、３０分毎等の間隔を開けたバッチ的なものでも構わない。いずれにせよ、それぞれのセンサ１１２が何らかのパラメータを測定することによって生成された情報は、制御回路１１３から、無線ＬＡＮ通信機構１４４を介して、必要であれば幾つかの街路灯１を経由して外部に送られる。なお、センサ１１２が生成した情報は、無線ＬＡＮ通信機構１４４を経ずに、例えば有線で外部に送られるようになっていても構わない。いずれにせよ、好ましくはこれらの処理は自動的に行われる。
これら情報が送られる先の「外部」の一例となるのが公舎Ｑである。公舎Ｑにかかる情報を提供することにより、公舎Ｑを管理する自治体が被災者に関する様々なパラメータを把握することが可能となる。それにより、被災者救助の効率を上げたり、被災者に適当な注意喚起を行うこと等が可能となる。
また、カメラ１４３は街路灯１の周囲の撮像を開始する。カメラ１４３が撮像した画像は、制御回路１１３に送られ、無線ＬＡＮ通信機構１４４を介して、必要であれば幾つかの街路灯１を経由して外部に送られる。なお、カメラ１４３が撮像した画像は、無線ＬＡＮ通信機構１４４を経ずに、例えば有線で外部に送られるようになっていても構わない。いずれにせよ、好ましくはこれらの処理は自動的に行われる。
これら情報が送られる先の「外部」の一例となるのも公舎Ｑである。公舎Ｑにかかる情報を提供することにより、公舎Ｑを管理する自治体が、各街路灯１の近くにいる被災者の状況を画像により把握することが可能となる。それにより、被災者救助の優先順位を決定したり、被災者に適当な注意喚起を行うこと等が可能となる。
【００３６】
他方、被災者は、自らの携帯端末を最寄りの街路灯１の無線ＬＡＮ通信機構１４４に接続することによって、多数の街路灯１が協働することによって形成された上述の通信網にアクセスすることができることになる。例えば自治体が、かかる通信網上に仮想の安否確認掲示板を設けているのであれば、各被災者は自分の携帯端末を用いてその掲示板に対して自分の安否を記載したり、また他の被災者についてその掲示板に書き込まれた情報を読むこと等が可能となる。
また、その通信網がインターネットに接続されているのであれば、各被災者は自らの携帯端末を用いてその通信網に接続することで、インターネットに接続することができる。それにより、より遠方の、もっといえば世界中のインターネットに接続されている端末にアクセスすることができるようになる。ここに、被災者における情報不足の問題は解決する。
被災者等の街路灯セットの近辺にいる者が持つ携帯端末が、街路灯１の無線ＬＡＮ通信機構１４４と同様のアドホック形式の無線ＬＡＮ通信を行う機能を有しているとすれば、それら携帯端末も上述の通信網の一部を形成することになるし、そうなるのが好ましいと言える。
【００３７】
また被災者は、上述の如く平時に知得した操作内容にしたがって入力キー１２２を操作して、第２扉１２１の鍵を解錠する。そうすることによって、第２扉１２１が開くようになる。
第２扉１２１を開くと上述したような備蓄品が収納庫の中にある。収納庫からそれら備蓄品を取出すことにより、被災者は、災害直後の一番物資不足に陥りやすい時期を乗り越えやすくなる。
【００３８】
また、被災者は、必要に応じて第１扉１１４を開ける。第１扉１１４を開くと、そこには給電端子１１５Ａ〜Ｃが存在する。被災者は、給電端子１１５Ａ〜Ｃから、自らの携帯端末や、その他の電気機器に対する給電を行うことができる。
【００３９】
また、必要に応じて、公舎Ｑの管理者が操作装置Ｑ１を操作して制御信号を生成し、それを各街路灯１に送る。
それを受取った各街路灯１の制御回路１１３は、その制御信号で特定される内容に基づき、その街路灯１の発光体１４２を点灯させる。その例として、以下のようなものをあげることができる。
例えば、図６において、Ｒで示された破線で囲まれた範囲にある街路灯１の発光体１４２を赤色に発光させ、同じように、Ｙで示された破線で囲まれた範囲にある街路灯１の発光体１４２を黄色に発光させ、また、Ｇで示された破線で囲まれた範囲にある街路灯１の発光体１４２を緑色に発光させたとする。そして、これら三色は信号機にも用いられているから被災者に予め教育することは不要かもしれないが、平時の段階に街路灯１の発光体１４２が、赤色に光っているときはその周囲は危険で、黄色に光っているときはやや危険で、また緑色に光っているときは安全であると、街路灯１セットが存在する範囲の住人に教育をしておいたとする。そうすると、図６に示されたように各街路灯１の発光体１４２が点灯した場合には、被災者は、各街路灯１というより、街路灯１セットに誘導されて、図６で下方に向かう道を進むことになる。
このように、街路灯１の発光体１４２の点灯の仕方を制御することにより、街路灯セットから、個々の街路灯１から被災者に与えられる以上の情報を与えられるようになる。もっとも、被災者は、最寄りの一つの街路灯１の発光体１４２の色を見ることにより、今自分が置かれている状況を理解することもできる。
街路灯セットから、個々の街路灯１から被災者に与えられる以上の情報を与えるためには、各街路灯１の発光体１４２の点灯の仕方を適当に異ならせる必要があるが、各街路灯１の発光体１４２の点灯の仕方を異ならせるための方法は、発光体１４２が発する光の色のみではない。例えば、発光体１４２の明るさを変えたり、或いは発光体１４２を点滅させたりすることによっても、各街路灯１の発光体１４２の点灯の仕方を変えることができる。
【００４０】
以上のような処理を実現するために、バッテリ１１１は、発光体１４２のみならず、センサ１１２、制御回路１１３、カメラ１４３、無線ＬＡＮ通信機構１４４等にも給電を行う。それにより、また給電端子１１５Ａ〜Ｃによって外部に給電することによりバッテリ１１１に溜められた電力は減っていく。他方、太陽光発電パネル１４１にて作られた電力は、バッテリ１１１にて溜められる。もっとも、災害が生じた後においても電線を介しての発電所からの給電が生きているのであれば、それをバッテリ１１１の電力に代えて、或いは加えて活用するのももちろん自由である。その制御は、制御回路１１３が担えば良い。
【符号の説明】
【００４１】
１  街路灯
１１  基礎部
１２  備蓄部
１３  支柱部
１４  照明部
１１１  バッテリ
１１２  センサ
１１３  制御回路
１１４  第１扉
１２１  第２扉
１２２  入力キー
１４１  太陽光発電パネル
１４２  発光体
１４３  カメラ
１４４  無線ＬＡＮ通信機構
【図１】
2017059414.tif 000003
【図２】
2017059414.tif 000004
【図３】
2017059414.tif 000005
【図４】
2017059414.tif 000006
【図５】
2017059414.tif 000007
【図６】
2017059414.tif 000008